(57)【要約】【課題】  ルーバの本数を少なくしてデザイン性を向上させ、かつ安全性、清掃性を良くした温風暖房機を提供する。【解決手段】  本体１内にバーナ４を備えた燃焼室２を配設し、前記バーナ４によって発生した熱を温風送風機７によって本体１の前面に設けた温風吹き出し口８を通して室内に放出する温風暖房機において、前記温風吹き出し口８にルーバ９ａ、９ｂ、９ｃを３段に設け、このうち最上段のルーバ９ａの燃焼室２側に張り出す寸法を他のルーバ９ｂ、９ｃに比べ短くした。【選択図】  図１
2005069526.tif 000002
【特許請求の範囲】
【請求項１】
本体（１）内にバーナ（４）を備えた燃焼室（２）を配設し、前記バーナ（４）によって発生した熱を温風送風機（７）によって本体（１）の前面に設けた温風吹き出し口（８）を通して室内に放出する温風暖房機において、前記温風吹き出し口（８）にルーバ（９ａ）、（９ｂ）、（９ｃ）を３段に設け、このうち最上段のルーバ（９ａ）の燃焼室（２）側に張り出す寸法を他のルーバ（９ｂ）、（９ｃ）に比べ短くしたことを特徴とする温風暖房機。
【請求項２】
上段と中段のルーバ（９ａ）、（９ｂ）間と、中断と下段のルーバ（９ｂ）、（９ｃ）間に燃焼室（２）側に向かって徐々に細くなる向きの断面が略三角形のバー（１０ａ）、（１０ｂ）を設け、本体（１）内部に手が容易に入り込まない程度の隙間となるようにしたことを特徴とする請求項１記載の温風暖房機。
【発明の詳細な説明】
【技術分野】
【０００１】
本発明は、デザイン性を重視し温風吹き出し口のルーバの本数を少なくした温風暖房機に関するものである。
【背景技術】
【０００２】
従来のこの種の石油ファンヒータ等の温風暖房機は、図５に示すような構造のものが知られている。
【０００３】
図５は温風暖房機の正面図で、５１は本体ケースで、内部にはバーナを備えた燃焼室と、室内空気を取り入れ送出する送風機と、ダクトが配設してあり、前面にバーナからの燃焼ガスをダクトで室内空気と混合して温風にし、この温風を本体ケース５１外に排出する温風吹き出し口５３と、この温風吹き出し口５３に温風の流れを制御するルーバ５２を配設している。
【０００４】
そして、このように、ルーバ５２の本数を２本から３本と少ない本数配設することによりデザイン性を向上させているとともに、ルーバ５２同士の間隔を広くしてルーバ５２に付いた埃を清掃しやすくしている（例えば、特許文献１参照）。
【０００５】
【特許文献１】特開平８−２２６７１２号公報
【発明の開示】
【発明が解決しようとする課題】
【０００６】
しかしながら、上記従来の温風暖房機においては、ルーバ５２の温風吹き出し口側で温風を効率よく排出されるようにしているが、燃焼室側から吹き込まれる温風の温度分布が均等になるような工夫が施されておらず、温風が均等に放出されにくいものであった。
【０００７】
また、ルーバ５２の本数を少なくしてデザイン性を向上させ、ルーバ５２の間隔を広げてルーバ５２に付いた塵を清掃しやすくしているが、ルーバ５２の間隔が広いとルーバ５２の隙間から人間の手や物等が本体ケース５１の内部に入りやすく危険である。
【０００８】
また、本体正面の温風吹き出し口５３の開口部に対する外的力などにより変形しないようにするための骨組みがルーバ５２のみであるため強度が弱いという課題があった。
【課題を解決するための手段】
【０００９】
上記課題を解決するため、本発明の温風暖房機の請求項１では、本体内にバーナを備えた燃焼室を配設し、前記バーナによって発生した熱を温風送風機によって本体の前面に設けた温風吹き出し口を通して室内に放出する温風暖房機において、前記温風吹き出し口にルーバを３段に設け、このうち最上段のルーバの燃焼室側に張り出す寸法を他のルーバに比べ短くしたものである。
【００１０】
また、請求項２では、上段と中段のルーバ間と、中断と下段のルーバ間に燃焼室側に向かって徐々に細くなる向きの略三角形のバーを設け、本体内部に手が容易に入り込まない程度の隙間となるようにしたものである。
【発明の効果】
【００１１】
本発明の請求項１では、温風吹き出し口に３本のルーバを３段に設け、このうち最上段のルーバの燃焼室側に張り出す寸法を他のルーバに比べ短くしたことにより、温風を均等に放出することができる。
【００１２】
また、請求項２では、上段と中段のルーバ間と、中断と下段のルーバ間に燃焼室側に向かって徐々に細くなる向きの断面が略三角形のバーを設け、本体内部に手が容易に入り込まない程度の隙間となるようにしたことにより、手や物が本体内部に入りにくくすることができるとともに、断面が略三角形状のバーを設けたことにより、温風吹き出し口の強度が増し、安全性を向上させることができる。
【発明を実施するための最良の形態】
【００１３】
以下、本発明の実施例について、図１〜図４を参照して説明する。
【００１４】
図１は本発明の一実施例を示す温風暖房機の側面縦断面図、図２は同じくフロント部の縦断面図、図３は同じくルーバ部の正面図、図４は同じくルーバ部の側面縦断面図である。
【００１５】
図において、１は温風暖房機である石油ファンヒータの本体、２は本体１内に配設した燃焼室で、その中にバーナ４が備えられている。
【００１６】
５は送風経路で、燃焼室２を覆うように設けられており、その上流側は燃焼室２の背面開口部３及び本体１の背面に開口した吸い込み口６に連なり、下流側は本体１の前面下部に設けられた温風吹き出し口８に連なっている。
【００１７】
吸い込み口６の内側には温風送風機７が配設され、また温風吹き出し口８は、ルーバベース１１にルーバ９をカシメた構成で、このルーバ９により温風を整流して室内に吹き出すようにしている。
【００１８】
ルーバベース１１は送風経路５に押当てる構造で、本体１内に温風が回り込まないように、燃焼室２側と本体１の外側とを分けている。
【００１９】
ルーバ９は温風吹き出し口８の上中下段に配置する３段のルーバ９ａ、９ｂ、９ｃから成り、各ルーバ９ａ、９ｂ、９ｃの形状は送風経路５の風の流れを整流して効率よく排出されるように、最上段のルーバ９ａは、燃焼室２側を水平からやや上向きに傾け、さらに燃焼室２側への張り出し寸法Ｌ１は、他の中段、下段のルーバ９ｂ、９ｃの燃焼室２側への張り出し寸法Ｌ２より短くしている。中段、下段のルーバ９ｂ、９ｃは水平に取り付け、燃焼室２側の張り出し部分は上方に向けて略スロープ形状としている。また、各ルーバ９ａ、９ｂ、９ｃの間隔は均等としデザイン性を高め、さらにルーバ９に付いた塵を清掃しやすくするために間隔を広めにしている。
【００２０】
１０はバーで、ルーバベース１１と一体にして切起こした構成で、断面が略三角形で燃焼室２側に向かって徐々に細くなっていく形状であり、上段と中段のルーバ９ａ、９ｂ間と、中断と下段のルーバ９ｂ、９ｃ間に夫々バー１０ａとバー１０ｂが水平に設けられている。そして、図２〜図４に示す如く中段と下段のルーバ９ｂ、９ｃの燃焼室２側への出張り部とバー１０ａ、１０ｂとの距離をＨ１とし、上段と中段のルーバ９ａ、９ｂの機体外側への出っ張り部とバー１０ａ、１０ｂとの距離をＨ２としている。本実施例ではＨ１、Ｈ２の寸法を夫々１０ｍｍの間隔としているが、この程度の隙間であればルーバ９間の隙間に手を差し込んでもバー１０に当たり燃焼室２側まで入ることはなくなり、また、清掃性も良いものである。
【００２１】
本発明は以上の構成よりなり、次にその作用を説明する。
【００２２】
バーナ４で燃焼が行われると、温風送風機７が回転し、吸い込み口６から室内の空気を送風経路５内に取り入れ、一部は燃焼室２の背面開口部３から燃焼室２内に入り燃焼室２内の燃焼排ガスと混合し、他の一部は燃焼室２の外側の送風経路５を通して温風吹き出し口８側に達し、そこで両方が混合されて温風となって温風吹き出し口８のルーバ９で整流されて室内に放出される。
【００２３】
このとき、送風経路５の風の流れは、送風経路５のダクトを構成する部品の壁面に沿って流れてきて３本のルーバ９ａ、９ｂ、９ｃの温風吹き出し口８から整流されて排出されるが、最上段のルーバ９ａの燃焼室２側への出張り位置は、風の流れが強く温風の温度が低い位置であり、この部分の風の流れの抵抗を下げるように出っ張り寸法Ｌ１を小さくしたことにより、風速が弱められて風量が減少することが少なくなり、燃焼室２からの高温の燃焼排ガスの流れを誘導してスムーズに送風経路５から温風吹き出し口８に流れるようになり、ルーバ９の全体から温風が均一に放出するようになる。
【００２４】
また、ルーバ９ａ、９ｂ間と、ルーバ９ｂ、９ｃ間にあるバー１０ａ、１０ｂは燃焼室２側に向かって徐々に細くなっていく略三角形状の断面をしているので温風吹き出口８からの温風の排気を妨げることがないように考慮されている。
【００２５】
このように、温風吹き出し口８に３本のルーバ９ａ、９ｂ、９ｃを３段に設け、このうち最上段のルーバ９ａの燃焼室２側に張り出す寸法を他のルーバ９ｂ、９ｃに比べ短くしたことにより、温風を均等に放出することができる。
【００２６】
また、上段と中段のルーバ９ａ、９ｂ間と、中断と下段のルーバ９ｂ、９ｃ間に燃焼室２側に向かって徐々に細くなる向きの断面が略三角形のバー１０ａ、１０ｂを設け、本体１内部に手が容易に入り込まない程度の隙間となるようにしたことにより、手や物が本体１内部に入りにくくすることができるとともに、断面が略三角形状のバーを設けたことにより、温風吹き出し口８の強度が増し、安全性を向上させることができる。
【００２７】
なお、上記実施例では、最上段のルーバ９ａの形状は燃焼室２側を水平からやや上向きに傾けて取り付け、中段、下段のルーバ９ｂ、９ｃは水平に取り付け、燃焼室２側の張り出し部分は上方に向けて略スロープ形状としているが、送風経路５の構造や、燃焼室２の配置等によりこれらの形状は排出される温風が均等に排出されるような形状にすればよい。
【図面の簡単な説明】
【００２８】
【図１】本発明の一実施例を示す温風暖房機の側面縦断面図である。
【図２】同じくフロント部の縦断面図である。
【図３】同じくルーバ部の正面図である。
【図４】同じくルーバ部の側面断面図である。
【図５】従来例を示す正面図である。
【符号の説明】
【００２９】
１  本体
２  燃焼室
４  バーナ
５  送風経路
７  温風送風機
８  温風吹き出し口
９ａ、９ｂ、９ｃ  ルーバ
１０ａ、１０ｂ  バー
【図１】
2005069526.tif 000003
【図２】
2005069526.tif 000004
【図３】
2005069526.tif 000005
【図４】
2005069526.tif 000006
【図５】
2005069526.tif 000007